(57)【要約】【課題】熟練を要さず、体への負担も必要最小限で、計測と計測後の処理を能率よく行うことが出来るテーブルクロス計測器具を提供する。【解決手段】テーブルクロス展示場の店員は計測器の本体１を開いた状態で内面の折り目５に第２の板状体３の方向から顧客が注文したテーブルクロス１０の端部１０ａを合わせ込む。次に第１の板状体２を折り目５から内側に折ってテーブルクロス１０の上から第２の板状体３に重ねて本体１を閉じる。このとき覗き孔８からテーブルクロス１０の端部に位置ずれが無いことを確認する。本体１の短手方向の幅は３０ｃｍであるので、これに巻き付けるテーブルクロス１０の計測長は本体１の回転数で容易に判明する。３０ｃｍ未満の計測は１０ｃｍと２０ｃｍの長さの追加尺１７により計測する。計測が終了して裁断したら鉤部材９をシャフト１８に係合させ、テーブルクロス１０を本体１から引き抜いてそのまま折畳み、幅広輪ゴム等で把捉する。【選択図】図２
2011220878.tif 000002
【特許請求の範囲】
【請求項１】
第１の板状体と第２の板状体が連設されて一体となり、連設部を中央部の折り目として開閉自在に形成された二つ折の本体と、
該本体を二つ折りにしたとき内面となる前記第１の板状体の裏面において、二つ折の前記折り目よりも外寄りに前記折り目に沿って配置され前記第１の板状体の裏面に固設された突条と、
該突条と前記折り目との間において前記第１の板状体を切り欠いて前記突条及び前記折り目に沿って形成され複数の覗き孔と、
前記第１の板状体又は前記第２の板状体の長手方向の一端に固設又は係合自在に設けられた鉤部材と、
を有することを特徴とするテーブルクロス計測器具。
【請求項２】
前記突条は、前記本体を開いた状態で内面の前記折り目に、前記第２の板状体の方向からテーブルクロスの端部を合わせ込み、前記覗き孔から前記テーブルクロスの端部に位置ずれが無いことを確認しながら前記本体を閉じたとき、前記テーブルクロスの端部を前記第２の板状体の裏面に押圧して前記テーブルクロスの端部を前記本体に保持する、ことを特徴とする請求項１記載のテーブルクロス計測器具。
【請求項３】
前記突条は、断面が半円状の棒部材である、ことを特徴とする請求項１又は２記載のテーブルクロス計測器具。
【請求項４】
前記鉤部材は、前記テーブルクロスが前記本体に巻き取られ所定の用尺の箇所で裁断用具で裁断された後、適宜の陳列棚フレームに係合して前記本体から該本体の長手方向に沿って前記テーブルクロスを前記本体から抜き取る作業を助成する、ことを特徴とする請求項１記載のテーブルクロス計測器具。
【発明の詳細な説明】
【技術分野】
【０００１】
本発明は、計測と計測後の処理を能率よく行うことが出来るテーブルクロス計測器具に関する。
【背景技術】
【０００２】
従来、テーブルクロスの販売現場においては、通常、販売用のテーブルクロスは、棒状の保持部材にロール状に巻かれ、保持部材の両端を回転可能な状態でラックに保持されて展示されている。
【０００３】
顧客が所望の柄や材質のテーブルクロスを見つけて、その所望のテーブルクロスを用尺と共に店員に注文すると、店員は、先ず、ラックの前に保護シートを広げ、テーブルクロスの端部の角を、巻尺の端部と共に一方の手に持ち、他方の手でテーブルクロスの縁と共に巻尺をテーブルクロスの長手方向に延ばす。
【０００４】
巻尺の目盛りの区切りのよいところで、両の手を持ち替えて、再びテーブルクロスの縁と共に巻尺をテーブルクロスの長手方向に延ばす、ということを繰り返して、顧客から注文された用尺のところで縁部を折って一方の手に持ち、他方の手で巻尺を挟みに持ち替え、その持ち替えた挟みで用尺のテーブルクロスを切り取る。
【０００５】
店員は、切り取られて保護シート上に落下したテーブルクロスを、折り畳んでポリ紐等で適宜の大きさに縛り、切り売り精算カードと共に顧客に引き渡す。その後、店員は保護シートを片付ける。これで、テーブルクロスの一連の販売処理が終了する。
【０００６】
上記テーブルクロスの一連の販売処理を、店員の処理手順に沿って分け、全体の処理に要する時間を実測してみたところ、次のようになった。すなわち、
１）保護シートを床に広げる（平均１０秒）、
２）テーブルクロスの用尺を計測する（平均３０秒）、
３）挟みで裁断する（平均５秒）、
４）裁断後に保護シート上に崩れ折れているテーブルクロスを畳む（平均３０秒）、
５）ポリ紐で商品を縛る（平均２０秒）、
６）切り売り精算カードに記入して商品と共に顧客に渡す（平均２０秒）、
７）保護シートを片付ける（平均１０秒）、
合計２分５秒の時間が掛かっていた。
【発明の概要】
【発明が解決しようとする課題】
【０００７】
しかしながら、上記一連のテーブルクロスの販売処理では、単に時間が掛るというだけでなく、テーブルクロスの用尺を計測する作業は熟練を要する作業であり、また、保護シートを床に広げる作業と、片付ける作業は全体の作業の中で最も体に負担の掛る作業であるという解決すべき課題がある。
【０００８】
本発明は、上記従来の課題を解決するものであって、熟練を要さず、体への負担も必要最小限で、計測と計測後の処理を能率よく行うことが出来るテーブルクロス計測器具を提供することを目的とする。
【課題を解決するための手段】
【０００９】
上記課題を解決するために、本発明のテーブルクロス計測器具は、第１の板状体と第２の板状体が連設されて一体となり、連設部を中央部の折り目として開閉自在に形成された二つ折の本体と、該本体を二つ折りにしたとき内面となる第１の板状体の裏面において、二つ折の折り目よりも外寄りに折り目に沿って配置され第１の板状体の裏面に固設された突条と、該突条と折り目との間において第１の板状体を切り欠いて突条及び折り目に沿って形成され複数の覗き孔と、第１の板状体又は第２の板状体の長手方向の一端に固設又は係合自在に設けられた鉤部材と、を有することを特徴とする。
【００１０】
このテーブルクロス計測器具において、突条は、本体を開いた状態で内面の折り目に、第２の板状体の方向からテーブルクロスの端部を合わせ込み、覗き孔からテーブルクロスの端部に位置ずれが無いことを確認しながら本体を閉じたとき、テーブルクロスの端部を第２の板状体の裏面に押圧してテーブルクロスの端部を本体に保持する、ことを特徴とする。
【００１１】
また、このテーブルクロス計測器具において、鉤部材は、テーブルクロスが本体に巻き取られ所定の用尺の箇所で裁断用具で裁断された後、適宜の陳列棚フレームに係合して本体から該本体の長手方向に沿ってテーブルクロスを本体から抜き取る作業を助成する、ことを特徴とする。
【発明の効果】
【００１２】
本発明は、熟練を要さず、体力の消耗も必要最小限で作業が可能なテーブルクロス計測器具を提供することができるという効果を奏する。
【図面の簡単な説明】
【００１３】
【図１】(a) は実施例１に係るテーブルクロス計測器具の外観図、(b) はそれを半分程度開いた状態の斜視図、(c) はそれを完全に開いた状態の平面図である。
【図２】(a),(b),(c) はテーブルクロスを切り売りする際において実施例１に係るテーブルクロス計測器具によりテーブルクロスを巻き取りながら計測する動作を説明する図である。
【図３】(a) は実施例１に係るテーブルクロス計測器具に３０ｃｍごとに巻き取った３０×ｎ（ｎ＝１、２、・・・）ｃｍの長さのテーブルクロスをそのままの長さで切断する図、(b) はプラス１０ｃｍの長さで切断する図、(c) はプラス２０ｃｍの長さで切断する図である。
【図４】(a) は実施例１に係るテーブルクロス計測器具に巻き取って用尺を計測したテーブルクロスを器具本体から抜き取る動作を示す図、(b) は器具本体から抜き取ったテーブルクロスを畳む図である。
【発明を実施するための形態】
【００１４】
以下、本発明の実施の形態について、詳細に説明する。
【実施例１】
【００１５】
図１(a) は、実施例１に係るテーブルクロス計測器具の外観図であり、同図(b) はそれを半分程度開いた状態の斜視図、同図(c) はそれを完全に開いた状態の平面図である。図１(a),(b),(c) に示すように、テーブルクロス計測器具１は、第１の板状体２と第２の板状体３が連設されて一体となって構成されている。
【００１６】
このテーブルクロス計測器具（以下、本体ともいう）１は、連設部４を中央部の折り目５として開閉自在に形成された二つ折の器具である。図の連設部４の折り目５は、谷折の折り目を示している。
【００１７】
このテーブルクロス計測器具１は、本体を二つ折りにしたとき内面となる第１の板状体２の裏面６において、二つ折の折り目５よりも外寄りに折り目５に沿って配置され、第１の板状体２の裏面６に固設された突条７を備えている。
【００１８】
この突条７は、例えば、木製の丸棒を１／２に切り分けて、断面が半円状となった棒部材の平面部を、強固な接着剤で第１の板状体２の裏面６に貼り付けて形成できる。
【００１９】
また、この本体１は、突条７と折り目５との間において、第１の板状体２を切り欠いて突条７及び折り目５に沿って複数（本例では２つとして示す）の覗き孔８が形成されている。
【００２０】
更に、本体１には、第１の板状体２又は第２の板状体３（本例では第１の板状体２として示す）の長手方向の一端に固設又は係合自在に設けられた鉤部材９を備えている。この鉤部材９は、特には図示しないが、例えば、テープ状の補助部材と強力接着剤等を用いて第１の板状体２（又は第２の板状体３）の裏面に固設する。
【００２１】
この場合、特には図示しないが、例えば、第１の板状体２（又は第２の板状体３）に切り欠き孔を形成し、鉤部材９の端部を折り曲げて鉤部を形成し、この鉤部を切り欠き孔に係合させて、鉤部材９が本体１から抜けないように補強した後、テープ状の補助部材と強力接着剤等で鉤部材９を板状体の裏面に固定するようにしてもよい。
【００２２】
また、テープ状の補助部材や強力接着剤等を用いずに、上記のように形成した切り欠き孔に、上記のように形成した鉤部材９端部の鉤部を着脱可能に係合させるようにしてもよい。
【００２３】
尚、図１(a) に示すように、本体１を二つ折りした外観の短手方向の幅は、本例の場合は３０ｃｍと一定にしているが、長手方向の長さｘ（ｃｍ）は、テーブルクロスの並幅（９０ｃｍ）と広幅（１３０ｃｍ）の中間程度あればよい。
【００２４】
図２(a),(b),(c) は、テーブルクロスを切り売りする際において、本例のテーブルクロス計測器具１によりテーブルクロスを巻き取りながら計測する動作を説明する図である。なお、図２(a),(b),(c) は、図解で分かり易いように、並幅のテーブルクロスを計測する場合の例を示している。
【００２５】
テーブルクロス展示場の店員は、顧客の注文を受けると、そのテーブルクロスの用尺を聞き、図２(a) に示すように、本体１を開いた状態で内面の折り目５に、第２の板状体３の方向からテーブルクロス１０の端部１０ａを合わせ込む。
【００２６】
そして、店員は、第１の板状体２を、矢印ａに示すように、折り目５から内側に折ってテーブルクロス１０の上から、図２(b) に示すように、第２の板状体３に重ねて、本体１を閉じる。このとき店員は覗き孔８から内部を見ながらテーブルクロス１０の端部に位置ずれが無いことを確認する。
【００２７】
このように、テーブルクロス１０を挟むように第１の板状体２を第２の板状体３に重ねることにより、第１の板状体２に設けられている突条７は、テーブルクロス１０の端部を第２の板状体３の裏面に押圧する。これにより、テーブルクロス１０の端部を本体１に確実に保持することができる。
【００２８】
この後、店員は、図２(c) に示すように、矢印ｂに示すようにテーブルクロス１０を手前に引出しては、矢印ｃに示すように本体１を上向う側に折り返す、ということを繰り返して、顧客から指定されて用尺のテーブルクロス１０を本体１に巻き付けていく。
【００２９】
上述したように、本体１の二つ折りした短手方向の幅は３０ｃｍであるので、計測されるテーブルクロス１０の長さは、最初に挟み込んだ長さ３０ｃｍに、本体１を半回転させるごとに、３０ｃｍずつ追加されていく。
【００３０】
このテーブルクロス１０は、通常１０ｃｍ刻みの長さの切り売りであるので、本体１で巻き取る「３０ｃｍの倍数」の長さに、１０ｃｍ又は２０ｃｍの長さを足せば如何なる長さの用尺注文にも対応することができる。
【００３１】
図３(a) は上記の本体１により３０ｃｍごとに巻き取った３０×ｎ（ｎ＝１、２、・・・）ｃｍの長さのテーブルクロス１０をそのままの長さで切断する図、同図(b) はプラス１０ｃｍの長さで切断する図、同図(c) はプラス２０ｃｍの長さで切断する図である。
【００３２】
例えば、顧客の注文が３ｍ（３００ｃｍ）であれば、本体１を４回転半だけ回転させると巻き取られた全長は、３０ｃｍ＋４．５×６０ｃｍ＝３００ｃｍとなるので、そのまま裁断すればよい。
【００３３】
すなわち、図３(a) に示すように、本体１に４回転半巻き取ったテーブルクロス１０の外に出ている部分を、２枚の裁断案内押さえ板１１で挟み込み、裁断案内押さえ板１１に形成されている刃案内溝孔１２に裁断刃１３を差し入れて、裁断刃１３を刃案内溝孔１２に沿って横引きすると、テーブルクロス１０が３００ｃｍをやや余したところで裁断される。
【００３４】
この余し分は、巻き取ったテーブルクロス１０の外に出ている部分を２枚の裁断案内押さえ板１１で挟み込むことによって生じるが、更に、テーブルクロス１０を本体１に巻き重ねることによっても余し分は発生する。
【００３５】
しかし、通常、切り売り販売では、サービスとして、用尺よりも多めの長さを計測して切り売りするのが常識であるから、上記の余し分の合計は、通常行われるサービスの余し長さと見合う程度のものである。
【００３６】
また、用尺が３０ｃｍの倍数よりも１０ｃｍ又は２０ｃｍ長い場合については、例えば、顧客の注文が２ｍ５０ｃｍ（２５０ｃｍ）であれば、本体１を３回転半だけ回転させると巻き取られた全長は、３０ｃｍ＋３．５×６０ｃｍ＝２４０ｃｍとなるので、あと１０ｃｍ追加して裁断する。
【００３７】
図３(b) は、本体１に巻き取られた２４０ｃｍに、１０ｃｍ追加して裁断する場合の動作状態を示している。図３(a) に示す上下２枚の裁断案内押さえ板１１は、テーブルクロス１０の展示ラック１４の前方に固設されている。
【００３８】
そして、下方の裁断案内押さえ板１１の下部両端には、図３(b),(c) に示すように、上から１０ｃｍの長さの白尺１５、その下に連設された１０ｃｍの長さの黒尺１６から成る全長２０ｃｍの追加尺１７が配置されている。
【００３９】
上記のように本体１に３回転半巻き取ったテーブルクロス１０に１０ｃｍ追加する場合は、本体１に巻き取って外に出ている部分を、更にラック１４のロール状のテーブルクロス１０から引き出して延ばし、本体１の上端が追加尺１７の白尺１５の下端に来るように位置合わせする。そして、図３(a) の場合と同様に裁断刃１３で裁断する。
【００４０】
また、例えば、顧客の注文が１ｍ７０ｃｍ（１７０ｃｍ）であれば、本体１を２回転だけ回転させると巻き取られた全長は、３０ｃｍ＋２×６０ｃｍ＝１５０ｃｍとなるので、あと２０ｃｍ追加して裁断するとよいことになる。
【００４１】
図３(c) は、本体１に巻き取られた１５０ｃｍに、２０ｃｍ追加して裁断する場合の動作状態を示している。この場合も図３(b) の場合と同様に、本体１に巻き取って外に出ている部分を、更にラック１４のロール状のテーブルクロス１０から引き出して延ばし、本体１の上端が追加尺１７の黒尺１１６の下端に来るように位置合わせする。そして、図３(a) の場合と同様に裁断刃１３で裁断する。
【００４２】
図４(a) は、本体１に巻き取って用尺を計測し、裁断刃１３で裁断したテーブルクロス１０を本体１から抜き取る動作を示す図であり、同図(b) は本体１から抜き取ったテーブルクロスを畳む図である。
【００４３】
図４(a) に示すように、先ず、鉤部材９を陳列棚のフレーム１４の適宜の箇所、例えば図４(a) のように、テーブルクロス１０をロール状に保持しているシャフト１５に引っ掛ける。
【００４４】
そして、両手１６（１６ａ、１６ｂ）で、本体１に巻き付けられているテーブルクロス１０の両側を掴んで手前に、つまり本体１の長手方向に沿って引く。
【００４５】
本体１内部の図１(b),(c) 及び図２(a) に示した突条７は、凸形状を横に摺接しようとするテーブルクロス１０に対しては、摩擦抵抗がテーブルクロス１０の全幅にわたって働くので、テーブルクロス１０の端部を良く保持する。
【００４６】
しかし、凸形状を縦に摺接するテーブルクロス１０に対しては、テーブルクロス１０の一部一方向にのみ摩擦抵抗が働くだけなので、テーブルクロス１０が本体１の長手方向に引かれた場合は、テーブルクロス１０の本体１の内部に挟まれていた部分は、外側に巻かれていた部分と共に外部に容易に引き出すことができる。
【００４７】
このように、鉤部材９の引っ掛け機能で鉤部材９を陳列棚のフレーム１４に係合させることにより、手を使うことなく本体１を位置固定できる。そして、本体１を位置固定している鉤部材９に助成され、空いた両手を使ってテーブルクロス１０を本体１から引き抜くことができる。
【００４８】
このように本体１から抜き取ったテーブルクロス１０は、そのまま図４に示すように折り畳むことができる。この折り畳んだテーブルクロス１０を、締め付け力の強い例えば幅広の輪ゴム等を用いて把捉し、ビニール袋に収容し、細目を記入した切り売り精算伝票と共に顧客に引き渡す。
【００４９】
この一連のテーブルクロス１０の販売処理を店員の処理手順に沿って区分けして、全体の処理に要する時間を実測してみたところ、次のようになった。すなわち、
１）テーブルクロスの用尺を計測する（平均３０秒）、
２）裁断刃で裁断する（平均１秒）、
３）テーブルクロスを畳む（平均１５秒）、
４）輪ゴムで商品を把捉する（平均５秒）、
５）切り売り精算カードに記入して商品と共に顧客に渡す（平均２０秒）、
合計１分１１秒の時間で終了する。
【００５０】
これは従来例のおよそ１／２の処理時間であり作業能率が向上する。また、単に本体１にテーブルクロス１０を巻き付けるだけで用尺を計測できるので作業に熟練を要しない。更に、保護シートを床に広げたり片付けたりという体に負担の掛る作業が無くなるので作業環境が向上する。
【００５１】
尚、上記のお実施例では、図解で分かり易いように、並幅のテーブルクロスを計測する場合の例を示したが、広幅のテーブルクロスの場合でも、テーブルクロスの中ほどを本体１で挟むようにして巻き込むと、本体１の長手方向端部からテーブルクロスの余剰幅分が垂れ下がった状態で巻き付けられていく。
【００５２】
これを裁断刃で裁断したのち、テーブルクロスの余剰幅分の端部から外に出ている鉤部材９の鉤をラック１４のフレームに係合させ、テーブルクロスの他方の余剰幅分の両端部を両手で引くだけで、広幅のテーブルクロスの場合でも容易に本体１から引き抜くことができる。
【産業上の利用可能性】
【００５３】
本発明は、熟練を要さず、体力の消耗も必要最小限で作業が可能なテーブルクロス計測器具に利用することができる。
【符号の説明】
【００５４】
１  テーブルクロス計測器具（本体）
２  第１の板状体
３  第２の板状体
４  連設部
５  折り目
６  裏面
７  突条
８  覗き孔
９  鉤部材
１０  テーブルクロス
１０ａ  端部
１１  裁断案内押さえ板
１２  刃案内溝孔
１３  裁断刃
１４  ラック
１５  白尺
１６  黒尺
１７  追加尺
１８  シャフト
１９（１６ａ、１６ｂ）  両手
【図１】
2011220878.tif 000003
【図４】
2011220878.tif 000004
【図２】
2011220878.tif 000005
【図３】
2011220878.tif 000006